(57)【要約】【課題】  コンテンツを提供している管理者に容易に広く報酬取得の機会を与えること。【解決手段】  販売対象となる商品に関連するコンテンツが公開されたウェブサイトの当該コンテンツと、当該ウェブサイトの管理者を特定する管理者情報と、を記憶したウェブサイト情報記憶手段２を備えると共に、ユーザ端末３に対して、商品情報記憶手段に記憶された商品情報と共に、ウェブサイト情報記憶手段に記憶されたウェブサイトのコンテンツの少なくとも一部を提示する販売情報提示手段１と、ユーザ端末から商品の注文を受け付ける注文受付手段１と、注文を受けた商品と共に提示されたコンテンツが公開されているウェブサイトの管理者に対して特典を付加するよう、ウェブサイト情報記憶手段に記憶された管理者情報に特典情報を関連付けて記憶する特典付加手段１，２と、を備えた。【選択図】図１
2006244303.tif 000002
【特許請求の範囲】
【請求項１】
販売する商品情報を記憶した商品情報記憶手段を備え、ネットワークを介して接続されたユーザ端末に前記商品情報を提示して商品の販売を行うオンラインショッピングシステムであって、
販売対象となる前記商品に関連するコンテンツが公開されたウェブサイトの当該コンテンツと、当該ウェブサイトの管理者を特定する管理者情報と、を記憶したウェブサイト情報記憶手段を備えると共に、
前記ユーザ端末に対して、前記商品情報記憶手段に記憶された前記商品情報と共に、前記ウェブサイト情報記憶手段に記憶された前記ウェブサイトのコンテンツの少なくとも一部を提示する販売情報提示手段と、
前記ユーザ端末から前記商品の注文を受け付ける注文受付手段と、
注文を受けた前記商品と共に提示された前記コンテンツが公開されている前記ウェブサイトの管理者に対して特典を付加するよう、前記ウェブサイト情報記憶手段に記憶された前記管理者情報に特典情報を関連付けて記憶する特典付加手段と、
を備えたことを特徴とするオンラインショッピングシステム。
【請求項２】
前記販売情報提示手段は、前記ウェブサイトへのアドレスデータも提示する、ことを特徴とする請求項１記載のオンラインショッピングシステム。
【請求項３】
前記販売情報提示手段にて提示されるコンテンツは、前記商品に対する第三者の意見を表す情報を含む、ことを特徴とする請求項１又は２記載のオンラインショッピングシステム。
【請求項４】
前記販売情報提示手段にて提示されるコンテンツは、前記商品に対する第三者の使用報告を表す情報を含む、ことを特徴とする請求項１，２又は３記載のオンラインショッピングシステム。
【請求項５】
前記特典付加手段は、前記ウェブサイトの管理者に対して前記商品の販売に基づく報酬を付加する、ことを特徴とする請求項１，２，３又は４記載のオンラインショッピングシステム。
【請求項６】
前記特典付加手段は、前記ウェブサイトの管理者に対して前記商品の販売額の一部を報酬として付加する、ことを特徴とする請求項５記載のオンラインショッピングシステム。
【請求項７】
前記商品情報記憶手段に記憶された前記商品情報に基づいて、当該商品情報と共に前記販売情報提示手段にて提示される情報を前記ウェブサイト情報記憶手段内から検索する検索手段を備えた、ことを特徴とする請求項１，２，３，４，５又は６記載のオンラインショッピングシステム。
【請求項８】
前記請求項１乃至７のいずれかに記載のオンラインショッピングシステムは、
前記ウェブサイト情報記憶手段を備えた情報共有サーバと、
前記商品情報記憶手段と、前記販売情報提示手段と、前記注文受付手段と、前記特典付加手段と、を備えたオンラインショッピングサーバと、
を備えたことを特徴とするオンラインショッピングシステム。
【請求項９】
前記請求項１乃至７のいずれかに記載のオンラインショッピングシステムを構成する前記ウェブサイト情報記憶手段を備えた情報共有サーバ。
【請求項１０】
前記請求項１乃至７のいずれかに記載のオンラインショッピングシステムを構成する前記商品情報記憶手段と、前記販売情報提示手段と、前記注文受付手段と、前記特典付加手段と、を備えたオンラインショッピングサーバ。
【請求項１１】
前記請求項１０記載のオンラインショッピングサーバに、
前記販売情報提示手段と、前記注文受付手段と、前記特典付加手段と、を実現するためのオンラインショッピング用プログラム。
【請求項１２】
販売する商品情報を記憶した商品情報記憶手段を備えたオンラインショッピングサーバが、ネットワークを介して接続されたユーザ端末に前記商品情報を提示して商品の販売を行うオンラインショッピング方法であって、
前記オンラインショッピングサーバが、
販売対象となる前記商品に関連するコンテンツが公開されたウェブサイトの当該コンテンツと、当該ウェブサイトの管理者を特定する管理者情報と、が記憶されたウェブサイト情報記憶手段を備えた情報共有サーバから、前記商品情報記憶手段に記憶された前記商品情報と共に、前記ウェブサイト情報記憶手段に記憶された前記ウェブサイトのコンテンツの少なくとも一部を読み出して、前記ユーザ端末に対して提示する販売情報提示工程と、
前記ユーザ端末から前記商品の注文を受け付ける注文受付工程と、
注文を受けた前記商品と共に提示された前記コンテンツが公開されている前記ウェブサイトの管理者に対して特典を付加するよう、前記ウェブサイト情報記憶手段に記憶された前記管理者情報に特典情報を関連付けて記憶する特典付加工程と、
を有することを特徴とするオンラインショッピング方法。
【発明の詳細な説明】
【技術分野】
【０００１】
本発明は、オンラインショッピングシステムにかかり、特に、販売する商品について行った情報提供に対して報酬を得ることができるオンラインショッピングシステムに関する。
【背景技術】
【０００２】
従来より、ウェブサイトにおいて情報発信に付随する課金の仕組み、すなわち、所定のコンテンツをウェブサイトにて発信するコンテンツ管理者が報酬を受ける方式として、アフェリエイトがよく知られる。アフェリエイトとは、ウェブサイトのコンテンツやメールマガジンに企業サイトへのリンクを張り、一般ユーザがかかるウェブサイトやメールマガジンを経由して企業サイトにアクセスして商品を購入したりすると、ウェブサイトコンテンツやメールマガジンの管理者に報酬が支払われるというシステムである。
【０００３】
また、下記の特許文献１には、プロバイダを介してユーザが商品情報を要求した際に、当該商品と同種の情報が存在する場合には、プロバイダがかかるコンテンツをユーザに配信する、というシステムが開示されている。そして、ユーザが商品を購入すると、プロバイダは商品を紹介したものとして、報酬を得ることができる。
【０００４】
【特許文献１】特開２００２−３１２３６０号公報
【発明の開示】
【発明が解決しようとする課題】
【０００５】
しかしながら、上記従来例には以下のような不都合があった。まず、アフェリエイトを利用する際には、登録したオンラインショップからしか報酬を取得することができず、報酬の取得機会の拡大が困難となる、という問題が生じうる。そして、多くのオンラインショッピングから報酬を得ようとすると、ウェブサイトを構築した管理者が登録したショップ等へのリンクを多数張るという処理が必要となり、準備が煩雑になる、という問題が生じる。また、逆に、オンラインショップからは、コンテンツへのリンクを張ることが出来ず、有益なコンテンツを利用することができない、という問題が生じうる。
【０００６】
さらに、特許文献１に開示されているシステムでは、プロバイダが報酬を得ることができるだけであって、有益なコンテンツを作成した管理者が効果的に報酬を受ける仕組みではなく、コンテンツの作成意欲が減退しかねない、という問題が生じうる。
【０００７】
このため、本発明では、コンテンツを提供している管理者に対して、容易に広く報酬取得の機会を与えることができるシステムと提供することをその目的とする。
【課題を解決するための手段】
【０００８】
そこで、本発明の一形態であるオンラインショッピングシステムは、
販売する商品情報を記憶した商品情報記憶手段を備え、ネットワークを介して接続されたユーザ端末に商品情報を提示して商品の販売を行うオンラインショッピングシステムであって、
販売対象となる商品に関連するコンテンツが公開されたウェブサイトの当該コンテンツと、当該ウェブサイトの管理者を特定する管理者情報と、を記憶したウェブサイト情報記憶手段を備えると共に、
ユーザ端末に対して、商品情報記憶手段に記憶された商品情報と共に、ウェブサイト情報記憶手段に記憶されたウェブサイトのコンテンツの少なくとも一部を提示する販売情報提示手段と、
ユーザ端末から商品の注文を受け付ける注文受付手段と、
注文を受けた商品と共に提示されたコンテンツが公開されているウェブサイトの管理者に対して特典を付加するよう、ウェブサイト情報記憶手段に記憶された管理者情報に特典情報を関連付けて記憶する特典付加手段と、
を備えたことを特徴としている。
【０００９】
上記発明によると、まず、コンテンツを公開している管理者は、自己の管理者情報と、コンテンツ自体を登録しておくことで、これらの情報がウェブサイト情報記憶手段に記憶される。その後、ユーザにてオンラインショッピングにかかる商品情報の要求があると、販売情報提示手段にて、商品情報と、当該商品に関連する上記コンテンツと、が関連付けられてユーザに提示される。これを見てユーザが商品の購入を要求すると、システムにて注文が受け付けられ、商品の販売処理が実行される。同時に、商品と共にユーザに提示されたコンテンツを公開している管理者に対して、販売額の一時などの報酬が与えられるよう、かかる情報が管理者情報に関連付けて記憶され、後に、報酬が与えられる。従って、企業が商品を販売するにあたって有益なコンテンツを公開している管理者は、当該コンテンツを所定の登録箇所に登録しておくことで、関連する多数の企業サーバに販売促進用に利用してもらうことができ、販売実績に応じた報酬を得ることができる。その結果、管理者は、報酬を得る多くの機会を容易に得ることができ、コンテンツの作成意欲の向上しうる。また、企業側は、有益な情報を多数収集して、販売の促進を図ることができる。
【００１０】
このとき、販売情報提示手段は、ウェブサイトへのアドレスデータも提示する、ことを特徴としている。また、販売情報提示手段にて提示されるコンテンツは、商品に対する第三者の意見を表す情報を含む、ことを特徴としていたり、商品に対する第三者の使用報告を表す情報を含む、ことを特徴としている。このように、種々のコンテンツを商品情報と共にユーザに提示することで、システム側は販売の促進を図ることができ、管理者も報酬獲得の機会が増加する。
【００１１】
また、特典付加手段は、ウェブサイトの管理者に対して商品の販売に基づく報酬を付加する、例えば、商品の販売額の一部を報酬として付加する、ことを特徴としている。これにより、販売額に応じた適切な報酬設定を実現できる。
【００１２】
また、商品情報記憶手段に記憶された商品情報に基づいて、当該商品情報と共に販売情報提示手段にて提示される情報をウェブサイト情報記憶手段内から検索する検索手段を備えた、ことを特徴としている。これにより、商品を購入するユーザにとって適切に参照できるコンテンツが検索されて提示されるため、販売の促進を図ることができ、また、購入するユーザも有益な情報を参照することができる。
【００１３】
また、上記のいずれかに記載のオンラインショッピングシステムは、
ウェブサイト情報記憶手段を備えた情報共有サーバと、
商品情報記憶手段と、販売情報提示手段と、注文受付手段と、特典付加手段と、を備えたオンラインショッピングサーバと、
を備えたことを特徴としている。
【００１４】
また、本発明では、上記いずれかのオンラインショッピングシステムを構成するウェブサイト情報記憶手段を備えた情報共有サーバをも提供している。また、本発明では、上記いずれかのオンラインショッピングシステムを構成する商品情報記憶手段と、販売情報提示手段と、注文受付手段と、特典付加手段と、を備えたオンラインショッピングサーバをも提供している。さらに、上記オンラインショッピングサーバに、販売情報提示手段と、注文受付手段と、特典付加手段と、を実現するためのオンラインショッピング用プログラムをも提供している。
【００１５】
また、本発明の他の形態であるオンラインショッピング方法は、
販売する商品情報を記憶した商品情報記憶手段を備えたオンラインショッピングサーバが、ネットワークを介して接続されたユーザ端末に商品情報を提示して商品の販売を行うオンラインショッピング方法であって、
オンラインショッピングサーバが、
販売対象となる商品に関連するコンテンツが公開されたウェブサイトの当該コンテンツと、当該ウェブサイトの管理者を特定する管理者情報と、が記憶されたウェブサイト情報記憶手段を備えた情報共有サーバから、商品情報記憶手段に記憶された商品情報と共に、ウェブサイト情報記憶手段に記憶されたウェブサイトのコンテンツの少なくとも一部を読み出して、ユーザ端末に対して提示する販売情報提示工程と、
ユーザ端末から前記商品の注文を受け付ける注文受付工程と、
注文を受けた前記商品と共に提示されたコンテンツが公開されている前記ウェブサイトの管理者に対して特典を付加するよう、ウェブサイト情報記憶手段に記憶された管理者情報に特典情報を関連付けて記憶する特典付加工程と、
を有することを特徴としている。
【００１６】
上記構成の各サーバやプログラム、方法であっても、上述したシステムと同様に作用するため、上記本発明の目的を達成することができる。
【発明の効果】
【００１７】
本発明は、以上のように構成され機能するので、これによると、企業が商品を販売するにあたって有益なコンテンツを公開している管理者は、当該コンテンツを所定の登録箇所に登録しておくことで、関連する多数の企業サーバに販売促進用に利用してもらうことができ、販売実績に応じた報酬を得ることができ、そのため、管理者は、報酬を得る多くの機会を容易に得ることができる、という従来にない優れた効果を有する。
【発明を実施するための最良の形態】
【００１８】
本発明は、ウェブサイトを構築したコンテンツ管理者がショップ等に対して広告のリンクを張るという作業を行う必要がなく、広く報酬獲得の機会を得ることができる仕組みである。すなわち、コンテンツの管理者は、情報共有サーバにコンテンツ情報を登録することで、企業側が企業サイトにて販売する商品に関連付けて上記コンテンツがユーザに提示される。そして、商品がユーザに購入されると、コンテンツを公開している管理者に報酬等の特典が与えられる。これにより、コンテンツが有益な情報が提供しているのであれば、さまざまなサイトから参照され報酬を得ることができるようになる。以下、実施例にて、具体的な構成及び作用を詳述する。
【実施例１】
【００１９】
本発明の第１の実施例を、図１乃至図１５を参照して説明する。図１乃至図２は、オンラインショッピングシステムの構成を示す概略図である。図３は情報共有サーバの構成を示すブロック図であり、図４は企業サーバの構成を示すブロック図である。図５は、企業サーバからユーザ端末に表示される画面の一例を示す図である。図６乃至図１０は、本発明にて用いられる情報を示す図である。図１１乃至図１５は、本発明の動作を示すフローチャートである。
【００２０】
［構成］
オンラインショッピングシステムは、図１に示すように、オンラインショッピングサイトを開設する企業サーバ１と、所定のウェブサイトに開示されているコンテンツ等を蓄積する情報共有サーバ２と、を備えている。また、企業サーバ１には、当該企業サーバ１のオンラインショッピングサイトにて商品を購入する購入者となるユーザ３１のユーザ端末３がネットワークを介して接続されおり、また、情報共有サーバ２には、蓄積されるコンテンツを開示しているウェブサイトを開設する公開サーバ４や当該ウェブサイトを管理しているコンテンツ管理者５１のコンテンツ管理者端末５にネットワークを介して接続されている。なお、図１乃至図２では、各コンピュータ間による動作状況をも表している。以下、各サーバ等について、詳述する。
【００２１】
＜ユーザ端末＞
ユーザ端末３は、パーソナルコンピュータなどの情報処理端末であり、ネットワークを通じて企業サーバ１、公開サーバ４に接続することが可能である。そして、このユーザ端末３は、企業サーバ１で公開されているコンテンツすなわち商品情報Ｄ１を閲覧し、あるいは、公開サーバ３で公開されているコンテンツＤ２を閲覧するためのディスプレイなどの表示装置を備えている。また、ユーザ端末３は、企業サーバ１にて販売されている商品を選択して、当該商品を購入するための処理を行うことができる。なお、ユーザ端末３は、パーソナルコンピュータに限定されず、ネットワーク接続機能を有する他の情報処理装置であってもよい。
【００２２】
＜公開サーバ＞
公開サーバ２は、インターネットサービスプロバイダが管理するサーバコンピュータや個人で管理されているパーソナルコンピュータなどの情報処理装置である。そして、この公開サーバ２は、コンテンツ管理者が操作するコンテンツ管理者端末５より送信されたＨＴＭＬなどのコンテンツを、コンテンツ登録手段を用いて蓄積し、これをホームページとしてアクセスしてきた一般ユーザに公開しているウェブサーバである。
【００２３】
＜コンテンツ管理者端末＞
上記コンテンツ管理者端末５は、パーソナルコンピュータなどの情報処理装置である。コンテンツ管理者５１は、コンテンツ管理者端末５に備えられたキーボードなどの入力装置を用いてホームページなどのコンテンツＤ２を作成し、このコンテンツをネットワークを通じて、公開サーバ４にアップロードすることが可能である。ここで、コンテンツＤ２とは、後述するように、企業サーバ１にて販売される商品に対する意見や実際に使用したときの感想、使用状況報告、などが含まれる。
【００２４】
また、コンテンツ管理者端末５は、情報共有サーバ２にアクセスして、コンテンツ管理者５１自身の情報を登録する機能を有する。また、これに伴い、自己のコンテンツ、すなわち、上記公開サーバ４に公開しているコンテンツの内容やアドレスデータを情報共有サーバ２に送信して登録する機能を有する。なお、コンテンツの登録は、コンテンツ管理者端末５からの指示によって、情報球サーバ２が公開サーバ４からコンテンツを収集することで行われてもよい。
【００２５】
＜情報共有サーバ＞
情報共有サーバ２は、企業等で管理もしくは、データセンター等で管理されているサーバコンピュータなどの情報処理装置である。その構成を、図３に示す。この情報共有サーバ２は、ネットワークを経由して、企業サーバ１、コンテンツ管理者端末５に接続することができる。そして、コンテンツ管理者端末５からアクセスを受け付けて（ログイン手段２１）、入力された当該コンテンツ管理者５１に関する情報（管理者情報）とコンテンツに関する情報とを受け付けて、記憶部２５（ウェブサイト情報記憶手段）に記憶する機能（情報登録手段２２）を有する。
【００２６】
また、情報共有サーバ３は、企業サーバ１から、販売する商品に関連するコンテンツの要求に対して、記憶部２５からコンテンツを検索する機能（検索手段２４）を有する。さらに、情報共有サーバ３は、企業サーバ１からの指示に基づいて、管理者情報にポイントなどの特典情報を付加して当該管理者毎にポイントを管理し、当該ポイントに応じた報酬を管理者に対して支払う機能（報酬手段２３）を備えている。この報酬手段２３は、例えば、管理者情報として登録された管理者の口座に報酬額を振り込んでその旨をコンテンツ管理者端末５に通知したり、コンテンツ管理者端末５に対して直接報酬額を電子マネーにて送信してもよい。
【００２７】
なお、情報共有サーバ２に備えられた上記各機能は、当該情報共有サーバ２のＣＰＵなどの演算装置に所定のプログラムが組み込まれることにより構築されている。
【００２８】
＜企業サーバ＞
企業サーバ１は、企業等で管理している、あるいは、データセンター等に配置されているサーバコンピュータなどの情報処理装置である。この企業サーバ１は、オンラインショップ等の機能を有している。その構成を、図２に示す。
【００２９】
企業サーバ１は、ネットワークを通じてユーザ端末３から接続可能であり、当該ユーザ端末３に対して、記憶部１３（商品情報記憶手段）に記憶している商品情報など、オンラインショッピングに必要な情報を送信する機能（公開手段１１）を有する（販売情報提示手段）。そして、特に、商品情報の提示の際には、当該商品情報に関連するコンテンツを検索するよう情報共有サーバ２に対して要求し、これに対して返送されたコンテンツを、商品情報と共にユーザ端末１に提示する。そのときのユーザ端末１に表示される画面の一例を図５に示す。この図に示すように、商品情報Ｄ１１に関連して表示されるコンテンツＤ１２としては、商品を購入したユーザの意見や、実際の利用したときの状況説明などである。さらに、表示されるコンテンツＤ１３には、コンテンツの出所となるＵＲＬ（アドレスデータ）がリンクとして表示されており、ユーザ端末１は元データの発信サイトにアクセスしてさらに詳細な情報を取得することもできる。また、表示されるコンテンツは、符号Ｄ１４に示すように、ウェブログの機能を利用して表示されてもよい。この図の例では、公開サーバ４のトラックバック機能を利用して、コンテンツに公開サーバ４のトラックバックを格納し、トラックバックピングを送信して商品情報が公開サーバ４で公開されているコンテンツにリンクしていることを示している。このように、公開サーバ４で公開されているコンテンツから企業サーバ１で公開している製品コンテンツに誘導してもかまわない。
【００３０】
また、企業サーバ１は、商品情報の提示に対するユーザ端末３からの購入希望を受け付け、購入処理を行う機能（購入手段１２）を有する（注文受付手段）。このとき、購入された商品と共にユーザ端末３に提示されていたコンテンツの管理者に対して、購入額に見合った報酬、例えば、購入額の５％の金額に相当するポイントを付加するよう情報共有サーバ２に指示する（特典付加手段）。これにより、情報共有サーバ２では、管理者毎にポイントが付加されて管理される。
【００３１】
［動作］
次に、オンラインショッピングシステムの動作を、図６乃至図１５を参照して説明する。図６乃至図１０は、本システムにて用いられる情報を示す図である。図１１乃至図１５は、動作を示すフローチャートである。なお、以下では、各場面毎に動作を説明する。
【００３２】
＜管理者登録＞
まず、コンテンツ管理者は、コンテンツ管理者端末５を利用して情報共有サーバ２にアクセスする。そして、コンテンツ管理者端末５から、図６に示すように、管理者名、パスワード、住所、などの管理者情報を送信して、管理者登録要求を行う（ステップＳ１１）。すると、管理者登録情報を情報共有サーバ２が受信する（ステップＳ１２）。このとき、送信される情報に、管理者に対して支払われる報酬の振込み先情報（口座など）が登録されてもよい。
【００３３】
その後、情報共有サーバ２は、既に管理者登録されていないか調べ（ステップＳ１３）、まだ登録されていない場合には、情報登録手段２２を用いて、記憶部２５に管理者情報を登録する（ステップＳ１４）。
【００３４】
＜コンテンツ登録（公開サーバに）＞
また、コンテンツ管理者５１は、公開サーバ４に対する利用登録後に、当該公開サーバ４にアクセスする（ステップＳ２１）。そして、コンテンツ管理者端末５はンテンツ登録要求、すなわち、送信されるＨＴＴＰなどのコンテンツ情報を公開サーバ４に送信し（ステップＳ２２）、これを公開サーバが受信する（ステップＳ２３）。図７にコンテンツの一例を示すが、管理者ＩＤと、コンテンツの内容（記事情報）、ＵＲＬ、キーワード、などを受信する。そして、受信したコンテンツ情報を、ハードディスクなどの記憶部に保存する（ステップＳ２４）。その後、公開サーバ４は、かかるコンテンツを公開する。
【００３５】
＜コンテンツ登録（情報共有サーバに）＞
また、コンテンツ管理者５１は、情報共有サーバ２にもコンテンツの登録を行う。まず、コンテンツ管理者端末５は、情報共有サーバ２にアクセスするが、管理者登録されていない場合には（ステップＳ３１にて否定判断）、図１１のステップＳ１１に示すように、管理者登録を行う（ステップＳ３２）。そして、管理者登録が行われている場合には、管理者は情報共有サーバ２にログインする（ステップＳ３３）。そして、上述同様に、コンテンツ管理者端末５はンテンツ登録要求、すなわち、送信されるＨＴＴＰなどのコンテンツ情報を情報共有サーバ２に送信し（ステップＳ３４）、これを情報共有サーバ２が受信する（ステップＳ３５）。そして、情報共有サーバ２は、受信したコンテンツをハードディスクなどの記憶部に保存する（ステップＳ３６）。ここで、登録されるコンテンツは、上記図７に示すものである。
【００３６】
＜製品コンテンツ閲覧＞
次に、ユーザが企業のオンラインショッピングサイトにて製品を閲覧するときの動作を図１４を参照して説明する。なお、図１４は、その際の企業サーバ１の動作である。
【００３７】
まず、ユーザは、ユーザ端末３を用いて企業サーバ１にアクセスする（ステップＳ４１）。そして、ユーザがある商品の情報の閲覧を要求すると、企業サーバ１は記憶部から商品情報を取り出すと共に（ステップＳ４２）、情報共有サーバ２にアクセスして、当該商品に関連するコンテンツを要求する（ステップＳ４３）。すると、情報共有サーバ２はコンテンツの検索を行い、商品に合致するコンテンツを取得し（ステップＳ４４）、企業サーバ１に送信する（ステップＳ４５）。
【００３８】
すると、企業サーバ１は、図８に示すような企業サーバ１が予め記憶している商品情報と、情報共有サーバ２から取得したコンテンツとを組み合わせて、図５に示すような商品販売の画面を生成する（ステップＳ４６）。そして、かかる画面を、ユーザ端末３に送信する（ステップＳ４７）。
【００３９】
＜製品購入＞
上述したように、商品購入のために企業サーバ１にアクセスして（ステップＳ５１）、商品を検索したユーザは（ステップＳ５２）、提示された商品情報及びコンテンツを参考にし、商品の購入を決定すると、購入する旨の情報を企業サーバ１に送信する（ステップＳ５３）。そして、これを受けた企業サーバ１は、購入処理を行う（ステップＳ５４）。この処理は、通常のオンラインショップの方法と同様である。
【００４０】
その後、企業サーバ１は、購入された製品に、情報共有サーバ２から得たコンテンツが表示されていた場合には、かかるコンテンツを検索して特定し（ステップＳ５５）、このコンテンツが利用された旨の情報、及び、どの企業サーバ１にてコンテンツが利用されたか、という情報であるコンテンツ利用情報（図９参照）を情報共有サーバ２に対して送信する（ステップＳ５６）。そして、情報共有サーバ２は、企業サーバ１から通知されたコンテンツがどの管理者のものか確認し、ユーザによる購入金額をポイントに変換して、各管理者毎に関連付けて課金情報（図１０参照）として保管する（ステップＳ５７）。
【００４１】
その後、情報共有サーバ２は、各管理者に付加されたポイントを、マイルや実際の現金等に変換して、各管理者に対して還元する。例えば、管理者情報に登録されている口座に振り込むなどの処理を行う。
【００４２】
このようにすることにより、アフェリエイトと異なりウェブサイトを構築したコンテンツ管理者が登録したショップ等への広告を張るという作業がなくなり、コンテンツ管理者が公開したコンテンツの内容がよければ、広く複数の企業サイトによりコンテンツが利用され、報酬を受ける機会の増加を図ることができる。
【００４３】
なお、上記では、企業サーバ１は、オンラインショッピングサイトを開設する場合を例示したが、オークションサイトを公開している場合も含むこととする。また、企業サーバ１は、あるユーザがコンテンツを評価し、当該ユーザが自らコンテンツに対して報酬を与える、というような仕組みでもよい。
【００４４】
また、上記公開サーバ４と情報共有サーバ２とが、一つのサーバにて構成されていて、コンテンツ登録を自動で行ってもよい。
【産業上の利用可能性】
【００４５】
本発明であるシステムは、オンラインショッピングを行うシステムに組み込むことができ、産業上の利用可能性を有する。
【図面の簡単な説明】
【００４６】
【図１】本発明の全体構成を示す概略図である。
【図２】本発明の全体構成を示すブロック図である。
【図３】情報共有サーバの構成を示す機能ブロック図である。
【図４】企業サーバの構成を示す機能ブロック図である。
【図５】ユーザに対して商品情報を提示する画面の一例を示す図である。
【図６】管理者情報の一例を示す図である。
【図７】コンテンツ情報の一例を示す図である。
【図８】商品情報の一例を示す図である。
【図９】コンテンツ利用情報の一例を示す図である。
【図１０】課金情報の一例を示す図である。
【図１１】本発明の動作を示すフローチャートである。
【図１２】本発明の動作を示すフローチャートである。
【図１３】本発明の動作を示すフローチャートである。
【図１４】本発明の動作を示すフローチャートである。
【図１５】本発明の動作を示すフローチャートである。
【符号の説明】
【００４７】
１  企業サーバ
２  情報共有サーバ
３  ユーザ端末
４  公開サーバ
５  コンテンツ管理者端末
３１  ユーザ
５１  コンテンツ管理者
【図１】
2006244303.tif 000003
【図２】
2006244303.tif 000004
【図３】
2006244303.tif 000005
【図４】
2006244303.tif 000006
【図５】
2006244303.tif 000007
【図６】
2006244303.tif 000008
【図７】
2006244303.tif 000009
【図８】
2006244303.tif 000010
【図９】
2006244303.tif 000011
【図１０】
2006244303.tif 000012
【図１１】
2006244303.tif 000013
【図１２】
2006244303.tif 000014
【図１３】
2006244303.tif 000015
【図１４】
2006244303.tif 000016
【図１５】
2006244303.tif 000017